(57)【特許請求の範囲】
【請求項１】
ヒンジ部を有する縦向き片と、その縦向き片の前記ヒンジ部の形成箇所よりも上方位置でその縦向き片からキャビネットの内部に向けて水平に伸びた操作片と、縦向き片の前記ヒンジ部の形成箇所よりも上方位置で当該縦向き片に突設されて前記キャビネットの開口部に臨むボタン部と、を有する押しボタンと、
前記キャビネット内で前記操作片の下方位置に水平に設けられた基板の上面に取り付けられて、スイッチ部が前記操作片の先端部の下面に対向するように上向きに設けられた第１タクトスイッチと、
前記基板上における前記第１タクトスイッチの奥側近傍箇所に取り付けられて、スイッチ部が前記操作片の先端面に対向するように水平向きに前記操作片側に向けて設けられた第２タクトスイッチとを備え、
前記押しボタンを若干押したときに、前記縦向き片が前記ヒンジ部を中心として内部側に若干倒れて前記操作片の先端部の下面で前記第１タクトスイッチのスイッチ部を押してこの第１タクトスイッチをオンさせ、更に前記押しボタンを押したときに、前記操作片の先端面で前記第２タクトスイッチのスイッチ部を押してこの第２タクトスイッチもオンさせるように構成したことを特徴とする押しボタン構造。
【発明の詳細な説明】
【０００１】
【発明の属する技術分野】
本発明は、キャビネット内に配置された２つのタクトスイッチをオン・オフさせるための押しボタン構造に関し、特に、１つの押しボタンを押すことにより、２つのタクトスイッチを押すことができるようにした押しボタン構造に関する。
【０００２】
【従来の技術】
従来、一般にキャビネット内に配置された２つのタクトスイッチをオン・オフさせるには、キャビネットの表面にそれぞれのタクトスイッチに対して１つずつの押しボタンが設けられていた。ところが、このようにキャビネットの表面に２つの押しボタンを設けると、キャビネットの前面にその分大きいスペースを取るという問題があった。
【０００３】
また、実開平２−１０２６３４号公報には、電気機器用操作ノブ装置が記載されている。これは、図２（ａ）（ｂ）に示すように、プリント基板１３０に搭載したタクトスイッチ１３１、１３２をシーソーノブ１２０のシーソー運動により何れか１つを選択できるように構成したシーソー型電気機器用操作ノブ装置において、一端部が固定端で、他端部が自由端になった第１の支持アーム１２１と、この第１の支持アーム１２１と逆配置になっている第２の支持アーム１２２と、第１の支持アーム１２１により一端部が、第２の支持アーム１２２により他端部がそれぞれ支持されている操作ノブ１２０と、この操作ノブ１２０を支持する第１、第２の支軸とを備え、第１の支持アーム１２１の固定端寄りと、第２の支持アーム１２２の自由端寄りを結ぶ線に沿って操作ノブ１２０の一端側に形成した第１の切欠１２３Ａ、１２３Ｂと、第１の支持アーム１２１の自由端寄りと、第２の支持アーム１２２の固定端寄りを結ぶ線に沿って操作ノブ１２０の他端側に形成した第２の切欠１２４Ａ、１２４Ｂとを有し、操作ノブ１２０の一端部を押すと押された端部の切欠より端部寄りの変形で端部寄りの切欠を仮想中心とする回転運動をして、操作ノブ１２０に適度の操作ストロークを与え得るように構成したものである。
【０００４】
ところが、これにおいては、縦型のプリント基板１３０に縦向きに２つ設けられたタクトスイッチ１３１、１３２はオン・オフできるが、水平向きに配置されたプリント配線基板に水平方向に設けられたタクトスイッチはオン・オフできないという問題があった。また、操作ノブ１２０が縦方向に長く形成されているので、この操作ノブ１２０が配置されるキャビネット等の表面に縦向きに大きいスペースを取るという問題があった。
【０００５】
【発明が解決しようとする課題】
本発明は、上記従来の問題を解消し、一つの押しボタンでキャビネット内の２つのタクトスイッチを押してオン・オフすることができて、押しボタンの数を減らすことができるとともに、この押しボタンが配置されるキャビネットの表面での省スペース化を図ることができ、しかも押しボタンの押し込み量によって、１つのタクトスイッチだけを押してオン・オフしたり、２つのタクトスイッチの両方を一度に押してオン・オフすることができる便宜な押しボタン構造を提供することを目的としている。
【０００６】
【課題を解決するための手段】
本発明は、上記課題を解決するために提案されたものであって、請求項１に記載の発明は、ヒンジ部を有する縦向き片と、その縦向き片の前記ヒンジ部の形成箇所よりも上方位置でその縦向き片からキャビネットの内部に向けて水平に伸びた操作片と、縦向き片の前記ヒンジ部の形成箇所よりも上方位置で当該縦向き片に突設されて前記キャビネットの開口部に臨むボタン部と、を有する押しボタンと、前記キャビネット内で前記操作片の下方位置に水平に設けられた基板の上面に取り付けられて、スイッチ部が前記操作片の先端部の下面に対向するように上向きに設けられた第１タクトスイッチと、前記基板上における前記第１タクトスイッチの奥側近傍箇所に取り付けられて、スイッチ部が前記操作片の先端面に対向するように水平向きに前記操作片側に向けて設けられた第２タクトスイッチとを備え、前記押しボタンを若干押したときに、前記縦向き片が前記ヒンジ部を中心として内部側に若干倒れて前記操作片の先端部の下面で前記第１タクトスイッチのスイッチ部を押してこの第１タクトスイッチをオンさせ、更に前記押しボタンを押したときに、前記操作片の先端面で前記第２タクトスイッチのスイッチ部を押してこの第２タクトスイッチもオンさせるように構成したことを特徴としている。
【０００７】
【発明の実施の形態】
以下、本発明に係る押しボタン構造の実施の形態について、図を参照しつつ説明する。図１は本発明の実施形態の押しボタン構造を示す縦断面図である。
【０００８】
本実施形態の押しボタン構造は、図１に示すように、キャビネット１の内部に向けて水平に伸びた操作片２１とキャビネット１と一体に設けられ縦方向適宜箇所にヒンジ部２２を有する縦向き片２３とこの縦向き片２３に一体に且つ外向きにキャビネット１の外面側に設けられた銘板３の開口部３１に臨むように突設されたボタン部２４とを有する押しボタン２と、キャビネット１内の基板４の上面に取り付けられてスイッチ部５１が上向きに設けられた第１タクトスイッチ５と、基板４上における第１タクトスイッチ５の奥側近傍箇所に取り付けられてスイッチ部６１が水平向きに操作片２１側に向けて設けられ、本体部が縦向きの第２タクトスイッチ６とを備えている。さらに具体的に説明すると、押しボタン２が、ヒンジ部２２を有する縦向き片２３と操作片２１とボタン部２４とを有していて、縦向き片２３の前記ヒンジ部２２の形成箇所よりも上方位置から前記操作片２１がキャビネットの内部に向けて水平に伸び、さらに、縦向き片２３の前記ヒンジ部２２の形成箇所よりも上方位置で当該縦向き片２３に突設されたボタン部２４が前記銘板３の開口部３１に臨んでいる。また、基板４はキャビネット内で前記操作片２１の下方位置に水平に設けられている。
【０００９】
そして、押しボタン２を若干押したときに、縦向き片２３がヒンジ部２２を中心として内部側に若干倒れて操作片２１の先端部の下面２１ａで第１タクトスイッチ５のスイッチ部５１を押してこの第１タクトスイッチ５をオンさせ、更に押しボタン２を押したときに、操作片２１の先端部２１ｂで第２タクトスイッチ６のスイッチ部６１を押してこの第２タクトスイッチ６もオンさせるようにしている。
【００１０】
本実施形態の押しボタン構造によれば、一つの押しボタン２でキャビネット１内の２つのタクトスイッチ５、６を押してオン・オフすることができて、押しボタン２の数を減らすことができるとともに、この押しボタン２が配置されるキャビネット１の表面での省スペース化を図ることができ、しかも押しボタン２の押し込み量によって、第１タクトスイッチ５だけを押してオン・オフしたり、２つの第１、第２タクトスイッチ５、６の両方を一度に押してオン・オフすることができる。
【００１１】
【発明の効果】
以上説明したように、本発明は、ヒンジ部を有する縦向き片と、その縦向き片の前記ヒンジ部の形成箇所よりも上方位置でその縦向き片からキャビネットの内部に向けて水平に伸びた操作片と、縦向き片の前記ヒンジ部の形成箇所よりも上方位置で当該縦向き片に突設されて前記キャビネットの開口部に臨むボタン部と、を有する押しボタンと、前記キャビネット内で前記操作片の下方位置に水平に設けられた基板の上面に取り付けられて、スイッチ部が前記操作片の先端部の下面に対向するように上向きに設けられた第１タクトスイッチと、前記基板上における前記第１タクトスイッチの奥側近傍箇所に取り付けられて、スイッチ部が前記操作片の先端面に対向するように水平向きに前記操作片側に向けて設けられた第２タクトスイッチとを備え、前記押しボタンを若干押したときに、前記縦向き片が前記ヒンジ部を中心として内部側に若干倒れて前記操作片の先端部の下面で前記第１タクトスイッチのスイッチ部を押してこの第１タクトスイッチをオンさせ、更に前記押しボタンを押したときに、前記操作片の先端面で前記第２タクトスイッチのスイッチ部を押してこの第２タクトスイッチもオンさせるように構成したから、以下に述べる効果を奏する。
【００１２】
即ち、一つの押しボタンでキャビネット内の２つのタクトスイッチを押してオン・オフすることができて、押しボタンの数を減らすことができるとともに、この押しボタンが配置されるキャビネットの表面での省スペース化を図ることができ、しかも押しボタンの押し込み量によって、１つのタクトスイッチだけを押してオン・オフしたり、２つのタクトスイッチの両方を一度に押してオン・オフすることができる。
【図面の簡単な説明】
【図１】  本発明の実施形態の押しボタン構造を示す縦断面図である。
【図２】  従来の電気機器用操作ノブ装置を示し、（ａ）はその正面図、（ｂ）はその側面図である。
【符号の説明】
１  キャビネット
２  押しボタン
２１  操作片
２２  ヒンジ部
２３  縦向き片
２４  ボタン部
３１  開口部
４  基板
５  第１タクトスイッチ
５１  スイッチ部
６  第２タクトスイッチ
６１  スイッチ部
【図１】
0004411747.tif 000002
【図２】
0004411747.tif 000003